(57)【要約】      （修正有）【課題】所望の色の組み合わせの選択が極めて容易に、かつ正確に出来、持ち運びが容易で現場において自由に使用出来る実用配色調和のものさしを提供する。【解決手段】パレットケース１のカラーパレット保持空間部４内にカラーパレット３（３ＵＣ１ａ，３ＵＣ１ｂ，３ＵＣ１ｃ）を挿入し、これ等を出入させると共にスライド窓２も移動させて所望の色の組み合わせ群をスライド窓２下に表示する。【選択図】図１
0003182165.tif 000002
【実用新案登録請求の範囲】
【請求項１】
同じアンダー色素のパレットどうしではどの色を何色用いても調和すると言う（公序良俗違反につき、不掲載）の多色配色実用色彩調和論に基づいて作られた色群を表示してなる複数枚の細長片のカラーパレット（ＵＣ１色群ｏｒＵＣ２色群）を出入自在に収納保持する細長なパレットケースと、該パレットケースの長手方向に沿って前記パレットケースに摺動自在に保持される略透明のスライド窓とから構成され、前記カラーパレットと前記スライド窓とを選択的に移動させて前記スライド窓下に所望され調和されている配色を表示することを特徴とする実用配色調和のものさし。
【請求項２】
前記パレットケースが軽量で人体内に収納可能の大きさのものからなることを特徴とする請求項１に記載の実用配色調和のものさし。
【考案の詳細な説明】
【技術分野】
【０００１】  本考案は、互いに美しく調和する色彩の組み合わせを客観的容易に選択表示出来る簡便で軽量な実用配色調和のものさしに関する。
【背景技術】
【０００２】  例えば、ファッションや建物等における各構成要素の色彩の組み合わせにおいて、実務上殆どその人の主感や感性に基づいて色彩を選択し組み合わせを行う場合が多いが、調和する色彩の組み合わせを選択する方法として（公序良俗違反につき、不掲載）による色彩調和論が従来より貴重の選択方法として採用されている。この色彩の組み合わせを客観的な選択で簡便に表示する部材は同一出願人の創案による「色のものさし」以外は従来なかった。但し、この「色のものさし」は特許等により権利化されたものではなく、以下に説明する本考案の実用配色調和のものさしとは構造的に相違するものであった。但し、「色のものさし」は商標登録されているものである。  なお、本考案とは相違するが、「色見本カード」の如きものとしては「特許文献１」や「特許文献２」が挙げられる。
【先行技術文献】
【特許文献】
【０００３】
【特許文献１】「特開平１１−３８８８４」（図１）
【特許文献２】登録実用新案第３０７５１３７号（図１）
【考案の概要】
【考案が解決しようとする課題】
【０００４】  前記のように従来より「特許文献１」や「特許文献２」の如き単なる色見本的のものは存在しているが、（公序良俗違反につき、不掲載）の色素配合論に基づいて調和する色群の組み合わせにより簡単に選択的に表示する手軽の道具は存在しておらず従来から利用者により要望されていた。【０００５】  本考案は、前記の要請に基づいて創案されたものであり、（公序良俗違反につき、不掲載）の色素配合論に基づいた色群の組み合わせを容易に選択し配色調和表示出来、かつ手軽に持ち運び出来る実用配色調和のものさしを提供することを目的とする。
【課題を解決するための手段】
【０００６】  本考案は、以上の目的を達成するために、請求項１の考案は、同じアンダー色素のパレットどうしではどの色を何色用いても調和すると言う（公序良俗違反につき、不掲載）の多色配色実用色彩調和論に基づいて作られた色群を表示してなる複数枚の細長片のカラーパレット（ＵＣ１色群ｏｒＵＣ２色群）を出入自在に収納保持する細長なパレットケースと、該パレットケースの長手方向に沿って前記パレットケースに摺動自在に保持される略透明のスライド窓とから構成され、前記カラーパレットと前記スライド窓とを選択的に移動させて前記スライド窓下に所望され調和されている配色を表示することを特徴とする。【０００７】  また、請求項２の考案は、前記パレットケースが軽量で人体内に収納可能の大きさのものからなることを特徴とする。
【考案の効果】
【０００８】  本考案の請求項１の実用配色調和のものさしによれば、同じアンダー色素の色群（ＵＣ１色群ｏｒＵＣ２色群）で構成された複数のカラーパレットをパレットケース内において出入させると共にパレットケースに保持されているスライド窓を移動させて目視により所望の色彩の組み合わせを容易に見出しすることが出来、かつ選択を自由に変更し、略透明のスライド窓により最も適用した調和する美しい配色を幾通りも見出すことが出来る。この組み合わせによる配色を用いて任意の構造物等の色彩の選択表示を実施し調和のとれた構造物等を作り出すことが出来る。【０００９】  また、本考案の請求項２の実用配色調和のものさしによれば、パレットケースは軽量で人体内の収納可能の小型のものからなり、常時持ち運び可能で必要時に容易に使用することが出来る。
【図面の簡単な説明】
【００１０】
【図１】本考案の実用配色調和のものさしの各構成要素を示す模式的斜視図（ａ）及びその使用時の組み合わせ形態を示す断面図（ｂ）。
【図２】本考案において使用される複数枚（図示では３枚）のカラーパレットの平面図。
【図３】（公序良俗違反につき、不掲載）の実用色彩調和論に基づくカラーパレット群を示す平面図。
【図４】本考案の実用配色調和のものさしによる色彩の組み合わせ群の表示方法の一例を示す模式的平面図。
【図５】図２に示したカラーパレットを用いた本考案の色彩の組み合わせ群の表示方法の一例を示す平面図。
【考案を実施するための形態】
【００１１】  以下、本考案の実用配色調和のものさしの実施の形態を図面を参照して詳述する。
【実施例】
【００１２】  図１及び図４に示すように、本考案の実用配色調和のものさし１００は、パレットケース１とスライド窓２と複数片（図示では３枚）のカラーパレット３（３ＵＣ１ａ，３ＵＣ１ｂ，３ＵＣ１ｃ）からなる。なお、カラーパレット３は図２に示すような色彩群からなり、更に図３に示す多くの色彩群からなる。この図２及び図３に示す同じアンダー色素の色群どうしはどの色を組み合わせても美しく調和すると言うのが（公序良俗違反につき、不掲載）による実用色彩調和論である。【００１３】  パレットケース１は、例えば略透明のプラスチック材の成形品からなり、細長な形状の平板状体からなり、本実施例では３箇所のカラーパレット保持空間部４が形成されている。カラーパレット３は本実施例では、例えば図２に示すような３種類の細長片からなり色々な色を一列に並べたものからなり、３ＵＣ１ａ，３ＵＣ１ｂ，３ＵＣ１ｃと表示されている。このカラーパレット３ＵＣ１ａ，３ＵＣ１ｂ，３ＵＣ１ｃ等はパレットケース１のカラーパレット保持空間部４内に出入自在に収納保持される。なお、出入自在ではあるがカラーパレットはカラーパレット保持空間部４内でほぼ所定位置に静止保持可能な構造から形成され、簡単に落下，脱落しない締め付け力を有する構造からなる。【００１４】  スライド窓２は図１（ａ）及び（ｂ）に示す形状のものからなり、略透明のプラスチック成形体からなりパレットケース１の長手方向に沿って摺動自在のものからなる。【００１５】  次に、本実施例の実用配色調和のものさし１００の使用方法を図４及び図５により説明する。なお、図５はカラーパレット３としては３ＵＣ１ａ，３ＵＣ１ｂ，３ＵＣ１ｃを使用している状態が示されているが、特にこれに限定するものではなくカラーパレット３の使用は自由である。【００１６】  まず、所望のカラーパレット３を選択し、このカラーパレット３を図１（ｂ）及び図４に示すようにパレットケース１のカラーパレット保持空間部４内に挿入する。
次に、カラーパレット３ＵＣ１ａ，３ＵＣ１ｂ，３ＵＣ１ｃ（図５に３ＵＣ１ａ，３ＵＣ１ｂ，３ＵＣ１ｃが示されている）を移動させ又はスライド窓２を移動させて図４，図５に示すように組み合わせ色Ａ，Ｂ，Ｃを選択する。この組み合わせ色Ａ，Ｂ，Ｃの選択色は互いに調和しており、この色を構造物等に使用することにより美しく色彩調和がされた構造物等を形成することが出来る。カラーパレット３はパレットケース１内を自由に移動出来るため所望の色の組み合わせ群の選択が極めて容易に、かつ正確に行われる。またこの実用配色調和のものさし１００は軽量のため、任意の場所で自由に操作することが出来、現場使用も簡単に、かつ安価に出来る。
なお、本実施例ではパレットケース１は３列のカラーパレット保持空間部４しかないが勿論これに限定するものではない。【００１７】  本考案の実用配色調和のものさし１００は、以上の説明の内容からなるが、本考案は以上の内容に限定するものではなく、同一技術的範疇のものが適用されることは勿論である。
【産業上の利用可能性】
【００１８】  本考案の実用配色調和のものさしは美しい色彩調和を得るために色選択を必要とするすべての場合に対して便利に使用され、携帯可能であり、必要時にはいつでも容昜に使用出来る。また、誰でもが使用可能であり安価でもありその利用範囲は極めて広い。
【符号の説明】
【００１９】１      パレットケース
２      スライド窓
３      カラーパレット
３ａ    カラーパレット
３ｂ    カラーパレット
３ｃ    カラーパレット
４      カラーパレット保持空間部
１００  実用配色調和のものさし
【図１】
0003182165.tif 000003
【図２】
0003182165.tif 000004
【図３】
0003182165.tif 000005
【図４】
0003182165.tif 000006
【図５】
0003182165.tif 000007
【手続補正書】
【提出日】平成24年12月17日(2012.12.17)
【手続補正１】
【補正対象書類名】明細書
【補正対象項目名】０００２
【補正方法】変更
【補正の内容】
【０００２】  例えば、ファッションや建物等における各構成要素の色彩の組み合わせにおいて、実務上殆どその人の主感や感性に基づいて色彩を選択し組み合わせを行う場合が多いが、調和する色彩の組み合わせを選択する方法として色彩調和論が従来より貴重の選択方法として採用されている。この色彩の組み合わせを客観的な選択で簡便に表示する部材は同一出願人の創案による「色のものさし」以外は従来なかった。但し、この「色のものさし」は特許等により権利化されたものではなく、以下に説明する本考案の実用配色調和のものさしとは構造的に相違するものであった。但し、「色のものさし」は商標登録されているものである。
なお、本考案とは相違するが、「色見本カード」の如きものとしては「特許文献１」や「特許文献２」が挙げられる。
【手続補正２】
【補正対象書類名】明細書
【補正対象項目名】０００４
【補正方法】変更
【補正の内容】
【０００４】  前記のように従来より「特許文献１」や「特許文献２」の如き単なる色見本的のものは存在しているが、色素配合論に基づいて調和する色群の組み合わせにより簡単に選択的に表示する手軽の道具は存在しておらず従来から利用者により要望されていた。
【手続補正３】
【補正対象書類名】明細書
【補正対象項目名】０００５
【補正方法】変更
【補正の内容】
【０００５】  本考案は、前記の要請に基づいて創案されたものであり、色素配合論に基づいた色群の組み合わせを容易に選択し配色調和表示出来、かつ手軽に持ち運び出来る実用配色調和のものさしを提供することを目的とする。
【手続補正４】
【補正対象書類名】明細書
【補正対象項目名】０００６
【補正方法】変更
【補正の内容】
【０００６】  本考案は、以上の目的を達成するために、請求項１の考案は、同じアンダー色素のパレットどうしではどの色を何色用いても調和すると言う多色配色実用色彩調和論に基づいて作られた色群を表示してなる複数枚の細長片のカラーパレット（ＵＣ１色群ｏｒＵＣ２色群）を出入自在に収納保持する細長なパレットケースと、該パレットケースの長手方向に沿って前記パレットケースに摺動自在に保持される略透明のスライド窓とから構成され、前記カラーパレットと前記スライド窓とを選択的に移動させて前記スライド窓下に所望され調和されている配色を表示することを特徴とする。
【手続補正５】
【補正対象書類名】明細書
【補正対象項目名】００１０
【補正方法】変更
【補正の内容】
【００１０】
【図１】本考案の実用配色調和のものさしの各構成要素を示す模式的斜視図（ａ）及びその使用時の組み合わせ形態を示す断面図（ｂ）。
【図２】本考案において使用される複数枚（図示では３枚）のカラーパレットの平面図。
【図３】実用色彩調和論に基づくカラーパレット群を示す平面図。
【図４】本考案の実用配色調和のものさしによる色彩の組み合わせ群の表示方法の一例を示す模式的平面図。
【図５】図２に示したカラーパレットを用いた本考案の色彩の組み合わせ群の表示方法の一例を示す平面図。
【手続補正６】
【補正対象書類名】明細書
【補正対象項目名】００１２
【補正方法】変更
【補正の内容】
【００１２】  図１及び図４に示すように、本考案の実用配色調和のものさし１００は、パレットケース１とスライド窓２と複数片（図示では３枚）のカラーパレット３（３ＵＣ１ａ，３ＵＣ１ｂ，３ＵＣ１ｃ）からなる。なお、カラーパレット３は図２に示すような色彩群からなり、更に図３に示す多くの色彩群からなる。この図２及び図３に示す同じアンダー色素の色群どうしはどの色を組み合わせても美しく調和すると言うのが実用色彩調和論である。
【手続補正７】
【補正対象書類名】実用新案登録請求の範囲
【補正対象項目名】請求項１
【補正方法】変更
【補正の内容】
【請求項１】
同じアンダー色素のパレットどうしではどの色を何色用いても調和すると言う多色配色実用色彩調和論に基づいて作られた色群を表示してなる複数枚の細長片のカラーパレット（ＵＣ１色群ｏｒＵＣ２色群）を出入自在に収納保持する細長なパレットケースと、該パレットケースの長手方向に沿って前記パレットケースに摺動自在に保持される略透明のスライド窓とから構成され、前記カラーパレットと前記スライド窓とを選択的に移動させて前記スライド窓下に所望され調和されている配色を表示することを特徴とする実用配色調和のものさし。
【手続補正８】
【補正対象書類名】実用新案登録請求の範囲
【補正対象項目名】請求項２
【補正方法】変更
【補正の内容】
【請求項２】
前記パレットケースが軽量で手動で取り扱い可能の大きさのものからなることを特徴とする請求項１に記載の実用配色調和のものさし。
【手続補正書】
【提出日】平成24年12月21日(2012.12.21)
【手続補正１】
【補正対象書類名】明細書
【補正対象項目名】０００２
【補正方法】変更
【補正の内容】
【０００２】  例えば、ファッションや建物等における各構成要素の色彩の組み合わせにおいて、実務上殆どその人の主観や感性に基づいて色彩を選択し組み合わせを行う場合が多いが、調和する色彩の組み合わせを選択する方法として実用色彩調和論が従来より貴重の選択方法として採用されている。この色彩の組み合わせを客観的な選択で簡便に表示する部材は同一出願人の創案による「色のものさし」以外は従来なかった。但し、この「色のものさし」は特許等により権利化されたものではなく、以下に説明する本考案の実用配色調和のものさしとは構造的に相違するものであった。但し、「色のものさし」は商標登録されているものである。
なお、本考案とは相違するが、「色見本カード」の如きものとしては「特許文献１」や「特許文献２」が挙げられる。
【手続補正２】
【補正対象書類名】明細書
【補正対象項目名】０００４
【補正方法】変更
【補正の内容】
【０００４】  前記のように従来より「特許文献１」や「特許文献２」の如き単なる色見本的のものは存在しているが、色素配合論に基づいて調和する色群の組み合わせにより簡単に選択的に表示する手軽の道具は存在しておらず従来から利用者により要望されていた。
【手続補正３】
【補正対象書類名】明細書
【補正対象項目名】０００５
【補正方法】変更
【補正の内容】
【０００５】  本考案は、前記の要請に基づいて創案されたものであり、色素配合論に基づいた色群の組み合わせを容易に選択し配色調和表示出来、かつ手軽に持ち運び出来る実用配色調和のものさしを提供することを目的とする。
【手続補正４】
【補正対象書類名】明細書
【補正対象項目名】０００６
【補正方法】変更
【補正の内容】
【０００６】  本考案は、以上の目的を達成するために、請求項１の考案は、同じアンダー色素のパレットどうしではどの色を何色用いても調和すると言う多色配色実用色彩調和論に基づいて作られた色群を表示してなる複数枚の細長片のカラーパレット（ＵＣ１色群ｏｒＵＣ２色群）を出入自在に収納保持する細長なパレットケースと、該パレットケースの長手方向に沿って前記パレットケースの上に摺動自在に保持される略透明のスライド窓とから構成され、前記カラーパレットと前記スライド窓とを選択的に移動させて前記スライド窓下に所望され調和されている配色を表示することを特徴とする。
【手続補正５】
【補正対象書類名】明細書
【補正対象項目名】００１０
【補正方法】変更
【補正の内容】
【００１０】
【図１】本考案の実用配色調和のものさしの各構成要素を示す模式的斜視図（ａ）及びその使用時の組み合わせ形態を示す断面図（ｂ）。
【図２】本考案において使用される複数枚（図示では３枚）のカラーパレットの平面図。
【図３】実用色彩調和論に基づくカラーパレット群を示す平面図。
【図４】本考案の実用配色調和のものさしによる色彩の組み合わせ群の表示方法の一例を示す模式的平面図。
【図５】図２に示したカラーパレットを用いた本考案の色彩の組み合わせ群の表示方法の一例を示す平面図。
【手続補正６】
【補正対象書類名】明細書
【補正対象項目名】００１２
【補正方法】変更
【補正の内容】
【００１２】  図１及び図４に示すように、本考案の実用配色調和のものさし１００は、パレットケース１とスライド窓２と複数片（図示では３枚）のカラーパレット３（３ＵＣ１ａ，３ＵＣ１ｂ，３ＵＣ１ｃ）からなる。なお、カラーパレット３は図２に示すような色彩群からなり、更に図３に示す多くの色彩群からなる。この図２及び図３に示す同じアンダー色素の色群どうしはどの色を組み合わせても美しく調和すると言うのが実用色彩調和論である。
【手続補正７】
【補正対象書類名】実用新案登録請求の範囲
【補正対象項目名】請求項１
【補正方法】変更
【補正の内容】
【請求項１】
同じアンダー色素のパレットどうしではどの色を何色用いても調和すると言う多色配色実用色彩調和論に基づいて作られた色群を表示してなる複数枚の細長片のカラーパレット（ＵＣ１色群ｏｒＵＣ２色群）を出入自在に収納保持する細長なパレットケースと、該パレットケースの長手方向に沿って前記パレットケースの上に摺動自在に保持される略透明のスライド窓とから構成され、前記カラーパレットと前記スライド窓とを選択的に移動させて前記スライド窓下に所望され調和されている配色を表示することを特徴とする実用配色調和のものさし。
【手続補正８】
【補正対象書類名】実用新案登録請求の範囲
【補正対象項目名】請求項２
【補正方法】変更
【補正の内容】
【請求項２】
前記パレットケースが軽量で手動で取り扱い易く、長さ２０ｃｍ位のカバンに収納可能の大きさのものからなることを特徴とする請求項１に記載の実用配色調和のものさし。